(57)【要約】【課題】不特定多数の使用者が存在する設置環境において印刷物についての情報安全性を高めた画像形成装置を提供する。【解決手段】遮蔽蓋１４は制御部の指令に応じて開閉動作を行う。シート部材積載保持部材２３は通常はシート部材Ｐを受けているが、シート部材破棄の指令がくると下方向に回転し、排出シート部材積載部９とシート部材破棄部１０の経路を繋ぐ。この状態になる場合には、必ず遮蔽蓋１４が閉状態になるよう制御し、装置外からのアクセスを遮断する。シート部材Ｐへの印刷が完了し、遮蔽蓋１４の開動作の認可を行い、実際に開動作を行った後に検知部２２がシート部材Ｐ有りを検知した場合、画像形成装置制御部はシート部材Ｐが取り忘れられていると認知し、シート部材Ｐの破棄動作に移る。遮蔽蓋１４により排出シート部材積載部９が略密閉になっているので情報安全性に優れる。【選択図】図５
2010008642.tif 000002
【特許請求の範囲】
【請求項１】
シート部材の積載部と、
シート部材に画像を形成する画像形成部と、
画像形成されたシート部材を積載する排出シート材積載部と、
シート部材を前記各部位間で移動させる複数のシート部材搬送部と、
シート部材破棄部と
を有する画像形成装置において、
前記排出シート部材積載部が、前記排出シート部材積載部を装置外空間に対して略密閉構造とし得る少なくとも一つの開閉自在な遮蔽蓋を有することを特徴とする画像形成装置。
【請求項２】
請求項１の画像形成装置において、
前記排出シート部材破棄部が前記排出シート部材積載部よりも重力方向で下方に配置されている
ことを特徴とする画像形成装置。
【請求項３】
請求項２の画像形成装置において、
前記排出シート部材積載部が、該部に積載されるシート部材の法線方向と重力方向が４５度から９０度の角度をなすように配設されている
ことを特徴とする画像形成装置。
【請求項４】
請求項１から３のいずれかの画像形成装置において、
前記排出シート部材積載部の遮蔽蓋が透過部を有する
ことを特徴とする画像形成装置。
【請求項５】
請求項１から３のいずれかの画像形成装置において、
前記排出シート部材積載部が前記シート部材破棄部に隣接している
ことを特徴とする画像形成装置。
【請求項６】
請求項１から５のいずれかの画像形成装置において、
前記シート部材破棄部にはあらかじめ定められた特定の作業者のみアクセス可能とするアクセス制限手段を有する
ことを特徴とする画像形成装置。
【請求項７】
請求項１から６のいずれかの画像形成装置において、
前記シート部材破棄部がシート部材破壊部を有する
ことを特徴とする画像形成装置。
【請求項８】
請求項１から６のいずれかの画像形成装置において、
前記排出シート部材積載部にはシート部材の重量を保持するシート部材積載保持部材が設けられ、且つ
該シート部材積載保持部材は開閉自在で、前記排出シート部材積載部と前記シート部材破棄部とを繋ぐ経路の開閉切り替え機能をも備える
ことを特徴とする画像形成装置。
【請求項９】
請求項７または８の画像形成装置において、
前記シート部材破壊部が前記シート部材積載保持部材の重力方向で下方に配置されている
ことを特徴とする画像形成装置。
【請求項１０】
請求項９の画像形成装置において、
前記排出シート部材積載部の遮蔽部の開動作と前記切り替え部の開動作が排他関係となっていること
を特徴とする画像形成装置。
【請求項１１】
請求項１から１０のいずれかの画像形成装置において、
前記排出シート部材積載部にはシート部材の有無を検知する検知部材が設けられている
ことを特徴とする画像形成装置。
【請求項１２】
請求項１から１１のいずれかの画像形成装置において、
前記排出シート部材積載部には少なくとも一つのシート部材搬送構造が設けられている
ことを特徴とする画像形成装置。
【請求項１３】
請求項１から１２のいずれかの画像形成装置において、
印刷者情報の読み取り部または印刷者情報の入力部を有する
ことを特徴とする画像形成装置。
【請求項１４】
請求項１３の画像形成装置において、
前記検知部材が、あらかじめ画像形成装置管理者により設定された規定の時間（Ｔｄ）を過ぎても印刷者情報の読み取りまたは入力が無い場合には印刷データを破棄する
ことを特徴とする画像形成装置。
【請求項１５】
請求項１３の画像形成装置において、
前記検知部材が、あらかじめ画像形成装置管理者により設定された規定の時間（Ｔｃ）を過ぎても排出シートの除去が行われなかった場合には排出シートを前記シート部材破棄部へ送る
ことを特徴とする画像形成装置。
【請求項１６】
請求項１から１５のいずれかの画像形成装置において、
前記印刷者情報の読み取り部または印刷者情報の入力部に対面する操作者の有無検知部を有する
ことを特徴とする画像形成装置。
【発明の詳細な説明】
【技術分野】
【０００１】
本発明は、複写機、ファクシミリ、プリンタ、それらの複合機などの画像形成装置に関し、詳細には、不特定多数の使用者が存在する設置環境において印刷物についての情報安全性を高めた画像形成装置に関する。
【背景技術】
【０００２】
近年、情報を取り扱う機器に対する情報安全性の要求は非常に高くなっている。特にコピーやプリンタといった画像形成装置については、出力された情報を第三者が取得しやすく、出力された情報（すなわち印刷物）の取り忘れや、別の印刷者による印刷物の誤取得による情報漏えいの危険性が高い。
【０００３】
印刷部のとり忘れによる情報漏えいを回避する方法として、特許文献１、２では、印刷物が一定時間の間に除去されなかった場合には自動的に廃棄する方法が開示されている。
【０００４】
【特許文献１】特許第２８６１９３０号公報
【特許文献２】特許第３９２７８２８号公報
【発明の開示】
【発明が解決しようとする課題】
【０００５】
しかしながら、従来の技術では、印刷物が自動的に破棄完了されるまでの時間は従来の一般的な画像形成装置と全く同じで、印刷物が第三者に対しても取得自在な状態であることに変わりは無い。すなわち、画像形成装置の設置場所は、ある限られた使用者しかいない場所である必要がある。例えば不特定多数の使用者が存在する公共施設に画像形成装置を設置するには十分な安全性であるとは言い難い。
【０００６】
そこで本発明は、不特定多数の使用者が存在する設置環境において印刷物についての情報安全性を高めた画像形成装置を提供することを目的とする。
【課題を解決するための手段】
【０００７】
本発明の画像形成装置のうち請求項１に係るものは、シート部材の積載部と、シート部材に画像を形成する画像形成部と、画像形成されたシート部材を積載する排出シート材積載部と、シート部材を前記各部位間で移動させる複数のシート部材搬送部と、シート部材破棄部とを有する画像形成装置において、前記排出シート部材積載部が、前記排出シート部材積載部を装置外空間に対して略密閉構造とし得る少なくとも一つの開閉自在な遮蔽蓋を有することを特徴とする。
【０００８】
同請求項２に係るものは、請求項１の画像形成装置において、前記排出シート部材破棄部が前記排出シート部材積載部よりも重力方向で下方に配置されていることを特徴とする。
【０００９】
同請求項３に係るものは、請求項２の画像形成装置において、前記排出シート部材積載部が、該部に積載されるシート部材の法線方向と重力方向が４５度から９０度の角度をなすように配設されていることを特徴とする。
【００１０】
同請求項４に係るものは、請求項１から３のいずれかの画像形成装置において、前記排出シート部材積載部の遮蔽蓋が透過部を有することを特徴とする。
【００１１】
同請求項５に係るものは、請求項１から３のいずれかの画像形成装置において、前記排出シート部材積載部が前記シート部材破棄部に隣接していることを特徴とする。
【００１２】
同請求項６に係るものは、請求項１から５のいずれかの画像形成装置において、前記シート部材破棄部にはあらかじめ定められた特定の作業者のみアクセス可能とするアクセス制限手段を有することを特徴とする。
【００１３】
同請求項７に係るものは、請求項１から６のいずれかの画像形成装置において、前記シート部材破棄部がシート部材破壊部を有することを特徴とする。
【００１４】
同請求項８に係るものは、請求項１から６のいずれかの画像形成装置において、前記排出シート部材積載部にはシート部材の重量を保持するシート部材積載保持部材が設けられ、且つ該シート部材積載保持部材は開閉自在で、前記排出シート部材積載部と前記シート部材破棄部とを繋ぐ経路の開閉切り替え機能をも備えることを特徴とする。
【００１５】
同請求項９に係るものは、請求項７または８の画像形成装置において、前記シート部材破壊部が前記シート部材積載保持部材の重力方向で下方に配置されていることを特徴とする。
【００１６】
同請求項１０に係るものは、請求項９の画像形成装置において、前記排出シート部材積載部の遮蔽部の開動作と前記切り替え部の開動作が排他関係となっていることを特徴とする。
【００１７】
同請求項１１に係るものは、請求項１から１０のいずれかの画像形成装置において、前記排出シート部材積載部にはシート部材の有無を検知する検知部材が設けられていることを特徴とする。
【００１８】
同請求項１２に係るものは、請求項１から１１のいずれかの画像形成装置において、前記排出シート部材積載部には少なくとも一つのシート部材搬送構造が設けられていることを特徴とする。
【００１９】
同請求項１３に係るものは、請求項１から１２のいずれかの画像形成装置において、印刷者情報の読み取り部または印刷者情報の入力部を有することを特徴とする。
【００２０】
同請求項１４に係るものは、請求項１３の画像形成装置において、前記検知部材が、あらかじめ画像形成装置管理者により設定された規定の時間（Ｔｄ）を過ぎても印刷者情報の読み取りまたは入力が無い場合には印刷データを破棄することを特徴とする。
【００２１】
同請求項１５に係るものは、請求項１３の画像形成装置において、前記検知部材が、あらかじめ画像形成装置管理者により設定された規定の時間（Ｔｃ）を過ぎても排出シートの除去が行われなかった場合には排出シートを前記シート部材破棄部へ送ることを特徴とする。
【００２２】
請求項１６に係るものは、請求項１から１５のいずれかの画像形成装置において、前記印刷者情報の読み取り部または印刷者情報の入力部に対面する操作者の有無検知部を有することを特徴とする。
【発明の効果】
【００２３】
本発明は、遮蔽蓋により用紙排出部が略密閉になっているので情報安全性に優れる。
【発明を実施するための最良の形態】
【００２４】
以下本発明を実施するための最良の形態を、図に示す実施例を参照して説明する。
【実施例１】
【００２５】
図１は、本発明の実施対象の一つである画像形成装置の全体を示し、図１（Ａ）は一般的な静電作像手法を用いた画像形成装置について示したものであり、露光装置１より射出されたレーザ光がプロセスカートリッジ２内の感光体を露光させて潜像を描き、現像部にて現像する。一方、シート部材積載部６に保管されるシート部材Ｐは給紙部５により分離給紙され先端位置補正部４に送られ、画像転写部３へと送られる。先ほど現像された画像が転写部３にてシート部材Ｐに転写され、画像定着部７へと送られる。画像定着部７にて画像はシート部材Ｐに定着され、排出搬送部８を経て排出シート積載部９へと排出される。排出シート積載部９には開閉自在な遮蔽蓋１４が設けられており、閉の位置で装置外部と略密閉構造となっている。また図１（Ｂ）は一般的なインク射出による画像形成装置の場合について示し、シート部材Ｐが先端補正部に送られるところまでは図１（Ａ）と同じである。用紙搬送部１３にてシート部材Ｐは搬送され、少なくとも一つのインク射出部１２から吐出されたインクによりシート材Ｐの表面に画像を形成され排出搬送部８へと送られ、そこからは再び図１（Ａ）と同様である。
【００２６】
遮蔽蓋１４は図示しない画像形成装置制御部により開閉動作を制御され、また図示しない動力源によって開閉の動作を行う。すなわち画像形成装置が問題ない状態であると判別しない限り遮蔽蓋１４は閉の状態であり、装置外部から排出シート部材にアクセスすることができないため、印刷者の情報が漏洩することを防ぐことが可能となっている。
【００２７】
なお、本装置の作像部での作像プロセスについては一般的なものでよいので説明を省略する。
【００２８】
図２（Ａ）は比較のために静電作像手法を用いた場合で遮蔽蓋１４が装置上面にある場合の構成例について示す。これら図１、図２の装置構成に共通するのが、シート部材破棄部１０が排出シート積載部９の下方に配置されていることである。この構成にすることで、積載部９から破棄部１０へのシート部材Ｐの搬送にシート部材Ｐに作用する重力を活用できることから、最小限の構成で搬送が可能となる。図１の構成では更に排出シート積載部９が、そこに積載されるシート部材Ｐの法線方向が重力方向と略直交するように構成されている。これによりシート部材Ｐはそれ自身にかかる重力で排出シート積載部９から移動しやすくなる。４５度以上の角度であれば、簡単な補助搬送部材を追加することで容易に搬送することができる。図２の構成では、図２（Ｂ）に示すように、排出シート部材積載部９にはシート部材Ｐを破棄部１０に送るために搬送構造２５が必要となる。
【００２９】
図３は図１の装置の斜視図を示す。ここでは装置上面に画像読み取り部１７を有するコピー機の形態を示している。もっとも、本発明はプリンタ、コピーのどちらかに限るものではなく、これらの複合機などでも採用できることは言うまでも無い。
【００３０】
遮蔽蓋１４には透過部１５が設けられており、装置外部からシート部材が排出されているかどうかを確認できるようになっている。このため印刷者が再度印刷を行うなどのご操作を回避することができる。
【００３１】
破棄部１０に破棄されたシート部材Ｐは図３の回収部２１を引き出すことで回収が可能である。ここで回収部２１には図示しないロック機構が設けられており、あらかじめ定めた特定の作業者のみがロックを解除できる構成となっている。これにより、第三者が回収部２１を開くことでの情報漏えいを防ぐことが可能となっている。
【００３２】
図４に排出シート積載部９とシート部材破棄部１０の経路拡大図を示す。シート部材破壊部２４が経路上に設けられており、破棄となったシート部材は破壊部２４にて情報読み取り不可能な状態に変化させられた状態で破棄部１０へと送られる。これにより、回収部２１のロック構成が機能しなかった場合についても情報漏えいの可能性を防ぐことが可能となる。
【００３３】
次に遮蔽蓋１４とシート部材積載保持部材２３の動作について図５（Ａ）〜（Ｃ）により説明する。
遮蔽蓋１４は既述のとおり、画像形成装置制御部の指令に応じて開閉動作を行い、印刷者に対してシート部材へのアクセス可否状態を切り分けている。シート部材積載保持部材２３は通常は図３（Ａ）、（Ｂ）に示す位置にあり、シート部材Ｐを受ける役割を担う。画像形成装置制御部からシート部材破棄の指令がくると、図示しない動力源によりシート部材積載保持部材２３は下方向に回転し、排出シート部材積載部９とシート部材破棄部１０の経路を繋ぐ。ここでシート部材積載保持部材２３が図５（Ｃ）の状態になる場合には、必ず遮蔽蓋１４が閉の状態になるよう、図示しない物理構成かあるいは制御則により規定する。これは、画像形成装置外からシート部材破棄部１０へのアクセスを完全に遮断する目的と、シート部材破棄部１０が有る場合には安全性を保つ目的とからである。
【００３４】
ここで画像形成装置の制御について説明する。既に述べたように、シート部材Ｐへの画像形成を行うか否かは一般的な画像形成装置と同様の制御で行うことができ、シート部材Ｐを排出完了したかどうかは検知できるものとする。排出シート部材積載部９には検知部２２が設けられており、同積載部にシート部材があるかどうかを検知可能となっている。なお印刷指令から印刷完了までの間は一般的装置の排出完了検知と、検知部２２での検知は同意である。
【００３５】
シート部材Ｐへの印刷が完了し、遮蔽蓋１４の開動作の認可を行い、実際に開動作を行った後に検知部２２がシート部材Ｐ有りを検知した場合、画像形成装置制御部はシート部材Ｐが取り忘れられていると認知し、シート部材Ｐの破棄動作に移る。なお図示の例ででは接触式の検知部の例を示しているが、非接触式の検知部を用いてもよい。
【００３６】
図６に排出シート部材積載部９でのシート部材Ｐ破棄時の状態を示す。ここで同積載部９にはシート部材搬送構造２５が設けられている。通常はシート部材搬送構造２５は破線で示す位置（弱化位置がずれているだけなので図では見にくいが、図での右側に位置するものがそれである）に退避しており、破棄命令が出た場合には図に示すようにシート部材Ｐ側に移動する（図のシート部材搬送構造２５の実線で描いた状態はこの状態である）。かつ先端の搬送コロによりシート部材Ｐを破棄部１０の方向へ輸送する機能を果たす。これにより、破棄動作実施時にシート部材Ｐが貼りつく、または引っかかるといった原因による破棄ミスを防ぐことが可能となる。図６に示す構成のように部材積載部９が重力方向でなかった場合については、必然的にシート部材を搬送するために必要となる。
【００３７】
次に画像形成装置が遮蔽蓋１４を開くか否かを判断する方法について説明する。
図３に示すように、画像形成装置には入力部１６、情報表示部１９、認証装置１８が設けられている。印刷者は印刷命令を離れた場所から画像形成装置に送信したあと、同装置の近傍に移動する。そして、個人あるいは送信した印刷命令に与えられた固有の鍵情報を入力部１６に入力するか、あるいは個人に付与された認証機構物を認証装置１８に接触あるいは非接触することで遮蔽蓋１４の解除を求める。ここでは図示しないが身体特徴を読み取る装置であってもよい。この操作により画像形成装置は遮蔽蓋１４を開放しても良いか否かを判定し動作命令を出す。
【００３８】
図７には印刷者情報の読み取り部または印刷者情報の入力部に対面する操作者の有無検知部について示す。図中２６ａは操作者の体重により存在の有無を検知する方法の例で、圧力センサ等を用いる方法である。また図中２６ｂは非接触の検知部での例である。
【００３９】
図８に上述の内容を含めた一連のフローを示す。
任意の印刷者より送られ、受信された印刷データ（ステップ（以下、単にＳと記載）１）は印刷者情報と紐付けされた状態で装置内で保持し、画像形成装置まで移動してきた印刷者により認証操作が行われるまで待機する（Ｓ２）。ここで個人認証の実施（Ｓ３）、待機時間が一定時間（Ｔｄ）未満かどうかの判断（Ｓ４）後、待機時間が一定の時間Ｔｄを越えた場合にはデータを破棄する（Ｓ５）。
【００４０】
装置にて印刷者の認証（Ｓ３）がされると該当データの印刷を開始する（Ｓ６）。印刷が完了したら遮蔽蓋１４を開けるわけであるが、ここで印刷者が装置の前にいることを確認し（Ｓ７）、存在すれば蓋をあける（Ｓ８）。いなければ印刷完了で且つ遮蔽板１４が閉の状態で待機（Ｓ９）し、規定の時間Ｔｏを越えた場合には（Ｓ１０）、印刷物を破棄部へと送る（Ｓ１１）。一度遮蔽蓋１４を開けたにもかかわらず印刷物が除去されていなければ、とり忘れとみなして破棄する。
【００４１】
また、印刷者が装置の前にいることを確認し（Ｓ７）、存在すると判断したことで遮蔽蓋１４を開ける（Ｓ８）が、その後、排出シート積載部９にシート材Ｐが無くなったかどうかを見て（Ｓ１２）、無くなっていれば遮蔽蓋１４を閉じる（Ｓ１３）。なお、Ｓ１２において用紙が無くなっていないと判断してからの経過時間が一定時間（Ｔｃ）未満かどうかを判断し（Ｓ１４）、越えていなければ待機を続け（Ｓ１５）、Ｓ１４の判断を繰り返し、越えていれば遮蔽蓋１４を閉じ（Ｓ１６）、シート材の破棄を行い（Ｓ１７）、Ｓ２へ戻る。
【００４２】
以上説明してきたように、本発明では、シート部材の積載部と、シート部材に画像を形成する画像形成部と、画像形成されたシート部材を積載する排出シート材積載部と、シート部材を各々の部位間で移動させる複数のシート部材搬送部と、シート部材破棄部とを有する画像形成装置で、排出シート部材積載部は少なくとも一つの開閉自在な遮蔽蓋を有し、該装置外部空間に対して略密閉構造となっていることで情報安全性に優れたものになる。
【００４３】
また排出シート部材破棄部が排出シート部材積載部よりも重力方向で下方に配置されていることで、また排出シート部材積載部が同積載部に積載されるシート部材の法線方向と重力方向が４５度から９０度の角度を成すように構成されていることで、重力によりシート部材を搬送することが可能となることから、低コスト、省スペース性に優れたものになり得る。
【００４４】
さらに、排出シート部材積載部の遮蔽蓋が透過部を有することで、印刷されているかどうか外から確認することができるのでユーザビリティに優れたものになる。そして、排出シート部材積載部がシート部材破棄部に隣接していることで、簡単な構造によりシート部材を破棄部に移動可能となり、省スペース、低コスト性に優れたものになる。
【００４５】
またシート部材破棄部はあらかじめ定められた特定の作業者のみアクセスできるようにすることで、破棄されたシート部材から情報を搾取されることをなくして情報安全性に優れたものにすることができる。
【００４６】
またシート部材破棄部がシート部材破壊部を有することで、シート部材を破壊して破棄するので、より情報安全性に優れたものにすることができる。
【００４７】
さらに、排出シート部材積載部にはシート部材の重量を保持する部材が設けられ、且つ該部材は開閉自在で、排出シート部材積載部とシート部材破棄部とを繋ぐ経路の開閉切り替え機能を併具していることで、より簡単な構造によりシート部材を破棄部に移動可能とし、省スペース、低コスト性に優れたものにし得る。またシート部材破壊部がシート部材積載保持部材の下方に配置されていることでも、より簡単な構造でシート部材を破棄部に移動可能となり、省スペース、低コスト性に優れたものにし得る。
【００４８】
またさらに、排出シート部材積載部の遮蔽部の開動作と切り替え部の開動作が排他の関係となるようにすれば、使用者操作時に誤ってシート部材破棄構造に触れることがないので安全性に優れたものにできる。
【００４９】
そして、排出シート部材積載部にはシート部材の有り無し検知部材を設け、排出シート部材の有り、無しを検知可能とし、シート部材の取り忘れによる情報漏れを回避できるようにし得る。さらに、排出シート部材積載部には少なくとも一つのシート部材搬送構造が設けられているので、排出シート部材積載部からシート部材を確実に搬送することができ、印刷者情報の読み取り部または印刷者情報の入力部を有することで、印刷者が装置近傍にいる場合にのみ印刷するようにできるので、これも情報安全性に資するものとなる。
【００５０】
そしてさらに、あらかじめ画像形成装置管理者により設定された規定の時間を過ぎても印刷者情報の読み取りあるいは入力が無い場合には印刷データを破棄して印刷データの漏洩の可能性が低くより情報安全性に優れたものとし、また、あらかじめ画像形成装置管理者により設定された規定の時間を過ぎても排出シートの除去が行われなかった場合には排出シートをシート部材破棄部へ送ることとして印刷物が第三者に盗難される可能性を低減させ、より情報安全性に優れたものとし、印刷者情報の読み取り部または印刷者情報の入力部に対面する操作者の有無検知部を有することで、印刷者が印刷物の取得を中止した場合にも情報を漏洩させず、且つ後続の使用者の利便性を損なわないことで情報安全性と操作性に優れたものとし得る。
【図面の簡単な説明】
【００５１】
【図１】本発明の実施対象の一つである画像形成装置の全体を示した図
【図２】比較のために静電作像手法を用いた場合で遮蔽蓋が装置上面にある場合の構成である画像形成装置の概略構成を示す斜視図
【図３】図１の装置の斜視図
【図４】排出シート積載部とシート部材破棄部の経路拡大図
【図５】遮蔽蓋とシート部材積載保持部材の動作を示す図
【図６】排出シート部材積載部でのシート部材破棄時の状態を示す図
【図７】印刷者情報の読み取り部または印刷者情報の入力部に対面する操作者の有無検知部について示す図
【図８】本発明の実施例のフロー図
【符号の説明】
【００５２】
１：露光装置
２：プロセスカートリッジ
３：画像転写部
４：先端位置補正部
５：給紙部
６：シート部材積載部
７：画像定着部
８：排出搬送部
９：排出シート積載部
１０：シート部材破棄部
１２：インク射出部
１３：用紙搬送部
１４：遮蔽蓋
１５：透過部
１６：入力部
１７：画像読み取り部
１８：認証装置
１９：情報表示部
２１：回収部
２２：検知部
２３：シート部材積載保持部材
２４：シート部材破壊部
２５：シート部材搬送構造
２６ａ：圧力センサ等
２６ｂ：非接触の検知部
Ｐ：シート部材
【図１】
2010008642.tif 000003
【図２】
2010008642.tif 000004
【図３】
2010008642.tif 000005
【図４】
2010008642.tif 000006
【図５】
2010008642.tif 000007
【図６】
2010008642.tif 000008
【図７】
2010008642.tif 000009
【図８】
2010008642.tif 000010